(57)【要約】【課題】    毛髪の部分的なセットを効率よく行えるセット器具を提供する事である。【解決手段】    髪のセット器具であって、熱風、冷風が出てくるホース状の物とその熱風、冷風の吸気、排気が可能な容器を具備してなり、部分的な処理が必要な個所を軸体に巻いたり、板体で挟んだりして吸気及び排気が可能なケース内に収め、熱風又は冷風を送る事で必要な個所のみの施術が効果的にできるセット器具。【選択図】  図  ７
2006334330.tif 000002
【特許請求の範囲】
【請求項１】
髪のセットのために用いられる器具であって、熱風、冷風が出てくるホース状の物とその熱風、冷風の吸気、排気が可能な容器を具備してなり、その吸気、排気が可能な容器にホース状の物から熱風、冷風を送り、その熱風、冷風が排出される事により中に置かれた毛髪がセットされるように構成されている事を特徴とするセット器具。
【請求項２】
前記ホース状の物の先に軸体や板体を装着できる事を特徴とする請求項１のセット器具。
【請求項３】
前記軸体に髪を巻きつけて吸気、排気が可能な容器の中でセットする事を特徴とする請求項１のセット器具。
【請求項４】
前記軸体は中空でその周側面に孔が設けられている事を特徴とする請求項２のセット器具。
【請求項５】
板状の物で髪をはさみ吸気、排気が可能な容器の中でセットする事を特徴とする請求項１のセット器具。
【請求項６】
板状の物は適切な孔を設けてある事を特徴とする請求項２のセット器具。
【発明の詳細な説明】
【技術分野】
【０００１】  本発明は、例えば髪をセットする技術に関する。
【背景技術】
【０００２】  従来の髪をセットする方法はヘアードライヤー（ヘルメット形のドライヤー）やハンドドライヤーがあり、髪をカーラーで巻いてヘルメット形のドライヤーでセットしてカールを出したり、ハンドドライヤーで真っ直ぐにセットしたりする。
【発明の開示】
【発明が解決しようとする課題】
【０００３】  従来のセットは主として全毛髪だったが、技術の多様化によりパーマ・ストレートパーマ・縮毛矯正・トリートメントなどの時も髪を部分的処理する必要がでてきた。【０００４】  またその処理もただ乾かすだけではなく、セットのように形をつける事を求められる事が多くなってきた。【０００５】  従って、本発明が解決しようとする課題は、例えば部分的なセットが必要な時でも毛髪をきちんとセットでき、しかもその作業性に優れた技術を提供する事である。
【課題を解決するための手段】
【０００６】  多様化するセット技法に対応できない従来の技術を検討するうちに次のような事に気付いた。【０００７】  セットする方法として、従来はヘアードライヤー、ハンドドライヤーなどが有る。【０００８】  ヘアードライヤーの場合はヘルメットのように頭部全体に覆い被さるために、熱によって気持ち悪くなったり、乾かしている間は動けないので首、肩等が疲労したり、精神的重圧がかかったりした。【０００９】  また上記ヘアードライヤーは頭髪全体をカーラーに巻いた状態で髪を乾かす事を目的としているために、例えば長い髪で巻かない場合、又は毛先のみを巻いた場合等の時に毛先部分を乾かす事が出来ず、そのような時はハンドドライヤーで乾かす事が一般的であった。【００１０】  ハンドドライヤーは乾かす時に髪が絡んだり部分的に高熱風にさらされて地肌が熱かったりする事等がある。【００１１】  また上記ハンドドライヤーは人が持って乾かすので乾かし終えるまでずっとついている必要がある。【００１２】  これらの事から毛髪全部をセットしようとする従来の方法ではなく、必要な個所のみを巻いたり挟んだりして、そこを吸気、排気が可能な容器で覆って熱風又は冷風を当てる事により解決されると言う知見に基づいてこの発明が達成された。【００１３】  すなわち前記の課題はセットのために用いられる器具であって、熱風、冷風が出てくるホース状の物とその熱風、冷風が出入り可能な容器を具備してなり、ホース状の物から熱風、冷風を送りその熱風、冷風が排出される事により中に置かれた毛髪がセットされるように構成されてなる事を特徴とするセット器具で解決される。【００１４】  また前記ホース状の物の先に軸体や板体を装着できる事を特徴とするセット器具で解決される。【００１５】  すなわち、必要な個所のみを軸体に巻いたり板体に挟んだりした後、吸気、排気が可能な容器で覆って熱風又は冷風を当てる事により解決される。【００１６】  また軸体は中空でその周側面に孔が設けられている。
送風するホース状の物の先端をその中空部分に装着する事が可能で、装着する事により風は毛先から巻かれている髪の表面へ流れた後カバーから排出され効率よく乾かす事で解決される。【００１７】  板状の物は適切な孔を設けてあるので効率よく乾かす事で解決される。【００１８】  すなわち、必要な個所のみを軸体に巻いたり板体に挟んだりして、そこを吸気、排気が可能な物で覆って熱風又は冷風を当てる事で、ヘルメットのように頭部全体に覆うヘアードライヤーの時のように熱によって気持ち悪くなったり、また乾かしている間は動けない事での首、肩等の疲労及び精神的重圧が解決される。【００１９】  また、ハンドドライヤーのように常時持っている必要がない事で、施術終了まで担当者がついていなければならないという問題も解決される。【００２０】  さらに、カバー状の物、軸体及び板体は軽量の物が好ましくそれにより被装着者は大きな不快感を感じる事がない。
【発明の効果】
【００２１】  本発明は、熱風、冷風が出てくるホース状の物とその熱風、冷風を吸気又は排気が可能な容器からなり、その吸気、排気が可能な容器にホース状の物から熱風、冷風を送り、その熱風、冷風が排出される事により中に置かれた毛髪がセットされる。
頭部全体をヘルメットのように覆うこともなく、常時人がそばにいる必要もないので、被装着者は大きな不快感を感じる事がない。【００２２】必要な個所のみの施術が可能なので、作業性が格段によい。【００２３】本発明のセット器具は上記特徴を大いに有する。
【発明を実施するための最良の形態】
【００２４】図１〜図６は分解状態の部品の斜視図。
図１〜図３は容器を開いた状態の図。
図４は軸体・図５は板体・図６はダクトの部品図。
図７〜図９は髪を巻いたり挟んだりして収納後、容器のカバーを閉じる前の図。
図１０が実施図。【００２５】  各図中、１と５と６は容器であり、熱風又は冷風を吸気または排気が可能な構造である。【００２６】  各図中、１と５と６は容器であり、８は軸体、１１ａ・１１ｂは穴のあいた板である。
容器１と５と６は、例えば耐熱性のプラスチックや軽金属又で所定形状に形成された物又は布状の物で袋状に形成された物である。
特に、比重が小さな（比重が２以下。好ましくは、比重が１程度）耐熱性プラスチックや軽い布状の物で成形されたものである。【００２７】  各図中、８は軸体である。
軸体８は、例えば耐熱性のプラスチックや軽金属で所定の形状に成型されたものである。特に、比重が小さな（比重が２以下。好ましくは、比重が１程度）耐熱性プラスチックで成形されたものである。
軸体８は中空でその周側面に孔が設けられていて通気性がある。
各図中、１０は溝である、軸体８に巻かれた髪を止めるゴムなどを止める。【００２８】  各図中、１１ａ・１１ｂ  は板体である。
板体  １１ａ・１１ｂ  は、例えば耐熱性のプラスチックや軽金属で所定の形状に成型されたものである。
特に、比重が小さな（比重が２以下。好ましくは、比重が１程度）耐熱性プラスチックで成形されたものである。
板体  １１ａ・１１ｂ  は通気性があるように孔が設けられている。
各図中、１０は溝である、板体  １１ａ・１１ｂに髪を挟んだ後、板を止めるゴムなどを止める。【００２９】  各図中、４は毛髪止めである。
ケースを閉じた時に髪を傷つけず、固定する装置。【００３０】  各図中、１２はダクトである。
ダクト１２は送風機１３から出た熱風・冷風を容器又は軸体に送る。【００３１】  次に、上記のように構成したセット・器具の使用方法について説明する。
図７  は、適量の毛束を軸体８に巻いてケース１に収め、熱風又は冷風を送って毛束をセットする。
図７は横巻きで図８は縦巻きの図です。【００３２】  図９  は、適量の毛束を穴のあいた板状の物１１ａ・１１ｂ  で挟みケース６に収め、熱風又は冷風を送って毛束をセットする。【００３３】  図１０は、実施の１例でケースを閉じて送風機１３からダクト１２を通じて熱風又は冷風等を送りケース内の髪をセットする。
【実施例】
【００３４】  適量の毛束をとり、軸体８に巻き付け溝１０で例えば輪ゴムなどで止めケース１又はケース５に装着してケースを閉じる。
その後、送風ダクト１２をケース１又はケース５の吸気・排気口２に装着して熱郛又は冷風を送り軸体８に巻かれた髪をセットする。
送風ダクト１２を軸体の送風孔９に直接装着してケース１又はケース５に装着する場合もある。【００３５】  適量の毛束をとり、板体１１ａと１１ｂで挟み溝１０で例えば輪ゴムなどで止めケース６に装着してケースを閉じる。
その後、送風ダクト１２をケース６の吸気・排気口２に装着して熱風又は冷風を送り板体１１ａと１１ｂで挟まれた髪をセットする。
【産業上の利用可能性】
【００３６】  従来のセットは主として全毛髪だったが、技術の多様化によりパーマ・ストレートパーマ・縮毛矯正・トリートメントなどの時も髪を部分的処理する必要がでてきた。
またその処理もただ乾かすだけではなく、セットのようにと形をつける事を求められる事が多くなってきた。
従って、本発明は例えば部分的なセットが必要な時でも毛髪をきちんとセットでき、しかもその作業性に優れた技術を提供できる。
【図面の簡単な説明】
【００３７】
【図１】横巻き用のケースの斜視図
【図２】縦巻き用のケースの斜視図
【図３】袋状のケースの斜視図
【図４】軸体の斜視図
【図５】孔のあいた板の平面図
【図６】送風ダクトの斜視図
【図７】横巻き用のケースの実施図
【図８】縦巻き用のケースの実施図
【図９】袋状のケースの実施図
【図１０】送風形態の実施図
【符号の説明】
【００３８】１  ケース
２  吸気又は排気口
３  開閉器
４  毛髪止め
５  ケース
６  ケース
７  開閉テープ
８  軸体
９  軸体の送風孔
１０  溝
１１ａ・１１ｂ  孔の開いた板
１２  ダクト
１３  送風機
１４  髪
【図１】
2006334330.tif 000003
【図２】
2006334330.tif 000004
【図３】
2006334330.tif 000005
【図４】
2006334330.tif 000006
【図５】
2006334330.tif 000007
【図６】
2006334330.tif 000008
【図７】
2006334330.tif 000009
【図８】
2006334330.tif 000010
【図９】
2006334330.tif 000011
【図１０】
2006334330.tif 000012